(57)【要約】【課題】負荷を増大させずにユーザが知得しやすい表示を行うことのできる電子時計及び通知制御方法を提供する。【解決手段】電子時計は、表示部と、外部機器と通信を行う通信部と、制御部と、を備える。制御部は、通信部を介して外部機器から取得可能な複数種類の情報の表示部による表示において、複数種類の情報それぞれが属するカテゴリー区分に応じた標識（Ｉ１〜Ｉ５）をそれぞれ表示させる。【選択図】図３
2020169820.tif 000002
【特許請求の範囲】
【請求項１】
表示部と、
外部機器と通信を行う通信部と、
制御部と、
を備え、
前記制御部は、
前記通信部を介して前記外部機器から取得可能な複数種類の情報の前記表示部による表示において、当該複数種類の情報それぞれが属するカテゴリー区分に応じた標識をそれぞれ表示させる
ことを特徴とする電子時計。
【請求項２】
前記カテゴリー区分の情報は、前記通信部により取得された前記情報に各々含まれることを特徴とする請求項１記載の電子時計。
【請求項３】
前記カテゴリー区分には、メッセージ通信の受信に係る情報が含まれることを特徴とする請求項１又は２記載の電子時計。
【請求項４】
前記標識には、表示対象として標識が設定されているカテゴリー区分以外のその他であることを示す標識が含まれ、
前記制御部は、表示対象とする前記標識が設定されていないカテゴリー区分の前記情報が取得された場合に、前記その他であることを示す標識を表示させる
ことを特徴とする請求項１〜３のいずれか一項に記載の電子時計。
【請求項５】
前記カテゴリー区分と標識とを対応付けて各々記憶する記憶部を備え、
前記制御部は、外部から取得される所定の設定命令に基づいて前記標識の各々を前記表示対象とするか否かを定める
ことを特徴とする請求項４記載の電子時計。
【請求項６】
前記制御部は、前記複数種類の情報の一覧表示において、前記標識とともに前記情報の内容の一部を抽出して表示させ、
前記内容を抽出する箇所は、前記カテゴリー区分ごとに各々定められている
ことを特徴とする請求項１〜５のいずれか一項に記載の電子時計。
【請求項７】
表示部と、外部機器と通信を行う通信部とを備える電子時計の通知制御方法であって、
前記通信部を介して前記外部機器から取得可能な複数種類の情報の前記表示部による表示において、当該複数種類の情報それぞれが属するカテゴリー区分に応じた標識をそれぞれ表示させる通知ステップ、
を含むことを特徴とする通知制御方法。
【発明の詳細な説明】
【技術分野】
【０００１】
この発明は、電子時計及び通知制御方法に関する。
【背景技術】
【０００２】
電子機器、特にスマートフォンなどの携帯型電子機器において、複数のアプリケーションプログラム（アプリ、ソフトウェア）に係るイベント及びスケジュール設定などを通知する技術がある。イベントの内容としては、電話の着信、留守番電話（Voice Mail）の着信、ＳＭＳ（Short Message Service）の着信、インスタントメッセージの受信、電子メールの受信、ニュースの受信、ゲームなどによるイベント発生、設定されたスケジュールの設定時刻報知などが含まれる。通知時には、これらのイベントの発生元（アプリなど）及び内容（通信の送信者（発信者）やイベントの本文などの一部）が表示画面に一覧表示され、ユーザの選択操作などによって内容をより詳細に取得することが可能とされている（例えば、特許文献１）。
【０００３】
また、このようなイベントの通知の発生情報を他のモバイル機器、特に腕時計などのウェアラブル端末に送信して報知させる技術がある。近年、モバイル機器では、Bluetooth（登録商標）のバージョン４以降に係るBluetooth Low Energy（ＢＬＥ）の規格といった低消費電力な近距離無線通信が広く採用されている。ＢＬＥでは、上述の通知は、ＧＡＴＴ（General Attribute Profile）に基づいて、ＡＮＰ（Alert Notification Profile）や、ｉＯＳ独自のＡＮＣＳ（Apple Notification Control Center）プロファイルなどによりサーバ（Notification Provider）となる電子機器から送信されている。
【先行技術文献】
【特許文献】
【０００４】
【特許文献１】特開２０１４−１９７４０１号公報
【発明の概要】
【発明が解決しようとする課題】
【０００５】
しかしながら、近年、ＳＮＳ（Social Networking Service）や各種情報提供サービスに係るアプリが多数市場に出現している。これらのＳＮＳにより送受信されるメッセージは、アプリごとに通信データのフォーマットが異なり、また、テキストだけではなく写真などの画像及び／又は動画の送信を主とするアプリも含まれている。一方で、低消費電力の通信では、一度に通信可能な情報量が限られる。また、電子時計では、一度に表示できる表示量、表示内容及び処理能力も限られる。したがって、電子時計では、電子機器自身での通知と同じような処理によりユーザが一見して内容を知得しやすい通知を行うのが困難であるという課題がある。
【０００６】
この発明の目的は、負荷を増大させずにユーザが知得しやすい表示を行うことのできる電子時計及び通知制御方法を提供することにある。
【課題を解決するための手段】
【０００７】
上記目的を達成するため、本発明は、
表示部と、
外部機器と通信を行う通信部と、
制御部と、
を備え、
前記制御部は、
前記通信部を介して前記外部機器から取得可能な複数種類の情報の前記表示部による表示において、当該複数種類の情報それぞれが属するカテゴリー区分に応じた標識をそれぞれ表示させる
ことを特徴とする電子時計である。
【発明の効果】
【０００８】
本発明に従うと、電子時計において負荷を増大させずにユーザが知得しやすい表示を行うことができるという効果がある。
【図面の簡単な説明】
【０００９】
【図１】電子時計の正面図である。
【図２】電子時計の機能構成を示すブロック図である。
【図３】電子時計の表示画面における表示の例を示す図である。
【図４】電子時計における通知表示制御処理の制御手順を示すフローチャートである。
【発明を実施するための形態】
【００１０】
以下、本発明の実施の形態を図面に基づいて説明する。
図１は、本実施形態の電子時計１の正面図である。
電子時計１は、筐体１１と、表示画面１２と、押しボタンスイッチＢ１〜Ｂ４と、りゅうずＣ１などを備える。表示画面１２の上方は、風防ガラスなどで覆われていてもよい。
【００１１】
筐体１１は、例えば、両端が開口された筒状の形状であり、一方の端部に表示画面１２が設けられ、他端が図示略の蓋部材で封止される。筐体１１内部の表示画面１２と蓋部材との間には、各種動作を行う構成を有する基板、チップ、電子部品及びバッテリなどが位置している。
【００１２】
表示画面１２は、ドットマトリクス形式でデジタル表示を行う表示画面である。ここでは、現在時刻に係る数字及び記号だけではなく、各種文字及びバッテリの充電状態を示す図面などが表示可能である。また、各表示のフォント及び配置などが変更設定可能であってもよい。一度に表示可能な字数は、フォントサイズなどによるが、例えば、標準的な大きさの設定で１００文字程度である。
【００１３】
押しボタンスイッチＢ１〜Ｂ４及びりゅうずＣ１は、筐体１１を貫通して上記各構成が位置する内側から外側に突出しており、ユーザなどの外部操作が受付可能になっている。押しボタンスイッチＢ１〜Ｂ４は、それぞれ、押下操作に応じた電気信号を入力信号として出力する。りゅうずＣ１は、引き出し／押し込み操作及び回転操作に応じた電気信号を入力信号として出力する。
図２は、電子時計１の機能構成を示すブロック図である。
【００１４】
電子時計１は、ＣＰＵ４１（Central Processing Unit）（制御部）と、メモリ４２（記憶部）と、発振回路４５と、分周回路４６と、計時回路４７（時刻計数部）と、操作受付部５１と、表示部５２と、通信部５３と、報知動作部５４と、電力供給部６０などを備える。
【００１５】
ＣＰＵ４１は、各種演算処理を行い、電子時計１の各部動作を統括制御するプロセッサである。ＣＰＵ４１は、メモリ４２に記憶されたプログラム４２１を読み出して実行することで、各種制御動作を行う。ＣＰＵ４１は、操作受付部５１が受け付けた操作内容に基づいて、表示画面１２への表示内容を切り替えたり、通信部５３が受信した情報の表示を行わせたりすることができる。
【００１６】
メモリ４２は、ＣＰＵ４１に作業用のメモリ空間を提供し、各種データを記憶する。ＣＰＵ４１は、例えば、ＲＡＭ（Random Access Memory）と不揮発性メモリとを含む。ＲＡＭは、ＣＰＵ４１の演算処理に用いられ、また、一時データを記憶する。不揮発性メモリは、例えば、フラッシュメモリであり、各種設定及びプログラム４２１などを記憶する。
【００１７】
また、メモリ４２には、通信設定情報４２２、受信情報４２３及び標識設定情報４２４が記憶される。通信設定情報４２２には、電子時計１とブルートゥース通信においてペアリングされる外部機器の識別情報が含まれる。受信情報４２３には、外部機器から通信部５３により受信されたデータが記憶される。標識設定情報４２４は、後述の通知一覧表示に係る標識（アイコン）の画像データ及びその設定（カテゴリー区分と標識との対応）について記憶されている。電子時計１の基幹プログラムや初期設定データは、ＲＯＭ（Read Only Memory）などに記憶されていてもよく、通常では、更新されない。
【００１８】
発振回路４５は、所定の発振周波数、例えば、３２．７６８ｋＨｚのクロック信号を発生して分周回路４６に出力する。分周回路４６は、発振回路４５から入力されたクロック信号を分周して、電子時計１の各部の動作に必要な周波数に変換して出力する。分周回路４６で分周された信号の出力先には、計時回路４７が含まれる。
【００１９】
計時回路４７は、分周回路４６から入力された所定の周波数の信号を計数して現在日時を計数、保持する。計時回路４７が保持する日時のフォーマットは、年月日時分秒で表されるものに限られず、ＣＰＵ４１などの処理にとって適切な適宜なフォーマットであってよい。発振回路４５の発振周波数は、温度などの外部環境に応じて若干変化するので、通常の環境下では、計時回路４７の計数する日時には、例えば、一日当たり最大０．５秒程度のずれが生じ得る。なお、電子時計１が通信部５３及び／又は図示略の電波受信部などにより外部から正確な日時を取得して、計時回路４７が計数する日時のずれを修正することが可能であってもよい。
【００２０】
操作受付部５１は、ユーザなど外部からの入力操作を受け付けて入力信号としてＣＰＵ４１に出力する。操作受付部５１は、ここでは、上述の押しボタンスイッチＢ１〜Ｂ４及びりゅうずＣ１などを備える。また、操作受付部５１は、表示部５２の表示画面と重ねて設けられたタッチパネルなどを備えていてもよい。
【００２１】
表示部５２は、ＣＰＵ４１の制御に基づいて表示動作を行う。表示部５２は、表示画面１２にデジタル表示を行う。ここでは、表示画面１２は、ドットマトリクス形式で表示を行うことのできるものであって、例えば、液晶表示画面又は有機ＥＬ（Electro-Luminescent）画面などである。
【００２２】
通信部５３は、外部機器との間で行うデータの送受信（通信）を実行、制御する。ここでは、通信部５３は、ブルートゥース（Bluetooth）による通信を行う。ここでは、通信部５３は、ブルートゥースバージョン４以降に係るLow Energy通信（以下ＢＬＥ通信と記す）が可能である。
【００２３】
報知動作部５４は、制御部４１の制御に基づいてユーザに対して所定の報知動作を行う。報知動作としては、例えば、ビープ音の発生、及び振動の発生などが挙げられる。報知動作部５４は、これらに応じて周知のビープ音の発生機構及び／又は振動発生機構などを有する。
【００２４】
電力供給部６０は、電子時計１の各部（ＣＰＵ４１などを介して間接的にであってもよい）にバッテリ６１から所定の動作電圧で電力を供給する。バッテリ６１は、例えば、ソーラパネルと蓄電池などを備えている。また、バッテリ６１として、着脱可能な乾電池やボタン型電池などが用いられてもよい。あるいは、電力供給部６０は、バッテリ６１として、所定のケーブルで若しくは接続端子を介して接続されることで又は電磁気的に結合されて充電される二次電池、例えば、リチウムイオン電池などを有していてもよい。
【００２５】
次に、本実施形態の表示動作について説明する。
電子時計１は、スマートフォンとＢＬＥ通信を行って、例えば、スマートフォンへの電話着信、電子メールの受信、メッセージ通信（ここでは、ショートメッセージ、インスタントメッセージ、ＳＮＳ（Social Networking Service）のメッセージなどを含む）の受信、配信ニュースの受信、各種アプリケーションプログラム（以降アプリと記す。例えば、オンラインフリーマーケット（ネットフリマ）及びゲームなどの各種サービスに係るもの）においてそれぞれ定められた情報の受信及びスマートフォンで設定されているスケジュールの設定時刻となったことなどの複数種類の情報を外部機器（スマートフォン）から取得可能であり、取得された情報のそれぞれに係る通知を行う。通知に係る情報は、所定個数が一覧表示（スクロール表示可であってよい）され、当該一覧表示中からユーザ所望のものが選択されると、選択された情報の内容がより詳しく表示される。
【００２６】
上記通知内容には、複数の送信元があり得る。これらのうち一部（電子メールなど）については、共通規格のヘッダ情報などに基づいて送信者などの情報が容易に抽出可能である。しかしながら、インスタントメッセージを含むＳＮＳ、及びニュースなど、ＨＴＴＰ（Hyper Text Transfer Protocol）や独自のプロトコルを利用し、ＪＳＯＮ（Javascript Object Notation）又はＸＭＬ（Extensible Markup Language）など汎用性の高いデータ形式を用いて情報が送受信されるアプリについては、各々ＡＰＩ（Application Programming Interface）に依存してデータ送受信フォーマットが設定されており、必ずしも一律に必要な情報を抽出できるものではない。よって、電子時計１では、ＢＬＥ通信による受信内容から通知の一覧表示に最適な内容を抽出することができない場合がある。
【００２７】
また、特にＳＮＳなどでは、新たなアプリ、サービスが次々に現れたり消えたりしている。電子時計１では、通常、長い使用期間にわたり、その制御プログラムの更新などは前提とされない。したがって、予め電子時計１で新たなサービス（アプリ名）及びこれに各々対応する標識（アイコン）を取得、保持しておくことが難しい。
【００２８】
本実施形態の電子時計１では、これらのアプリに係るサービスが属するカテゴリー区分の情報を、スマートフォンから電子時計１へのＡＮＰ又はＡＮＣＳなどに基づく受信内容（情報）から取得し、取得されたカテゴリー区分に応じた標識、ここではアイコンを表示項目のそれぞれ先頭に表示させることで、手間及び負荷を増大させることなく、ユーザに何の情報であるかを最低限適切かつ容易に知得可能に示す。ＡＮＰ及びＡＮＣＳなどによるスマートフォンから電子時計１への通信内容（情報）には、これらカテゴリー区分を示すカテゴリーＩＤが含まれている。
【００２９】
図３は、電子時計１の表示画面１２における表示の例を示す図である。
図３（ａ）には、通知情報の一覧表示の例を示す。ここでは、一画面に３個（複数種類）の通知情報が一覧表示され、例えば、りゅうずＣ１の回転操作又は押しボタンスイッチＢ２、Ｂ３の押下操作により前後（上下）にスクロール表示させることができる。一覧表示の各項目には、表示対象の情報がそれぞれ属するカテゴリー区分に対応するアイコン（標識）と、スマートフォンにおける取得日時と、内容（送信者情報などを含む）の一部が含まれる。また、２個目（画面中央）に表示される通知情報の左側にカーソル標識Ｉｓが表示されて、当該２個目の通知情報を指示しており、所定の選択操作、例えば、押しボタンスイッチＢ４の押下などにより、当該カーソル標識Ｉｓに指示されている２個目の通知情報の内容がより詳しく表示される。内容の文字数は、例えば、画面内に収まる１００文字から若干のスクロールを含めて４００文字程度までとされてもよい。
【００３０】
ここでは、一覧のうち上段には、メッセージ通信に係るアイコンＩ１が表示されており、予め対応アプリの名称に対応しやすい部分として定められている第１部分、及び送信者又は内容（本文）に対応しやすい部分として定められている第２部分の先頭数文字ずつ（まとめて一部）が抽出されて表示されている。これらの抽出箇所の設定は、カテゴリー設定ごとにそれぞれ定められて、標識設定情報４２４に含まれて記憶されていてもよい。
【００３１】
中段には、設定されているカテゴリー区分以外のその他を示すアイコンＩ２（その他であることを示す標識）が表示されており、通知情報からその他に対応する第１部分（ここでは、例えば、アプリ名）及び第２部分（ここでは、例えば、本文）がそれぞれ抽出、表示されている。また、下段には、電子メールに係るアイコンＩ３が表示され、電子メールのカテゴリーに対応する第１部分（ここでは、例えば、送信者）及び第２部分（ここでは、例えば、タイトル）がそれぞれ抽出、表示されている。ここでは、例示として、第１部分にそれぞれ対応アプリ又は送信者などに当たる法人名が表示されているが、場合によっては正しい表示が得られない場合があってもよい。
【００３２】
図３（ｂ）には、表示可能に設定されているアイコンの一覧の表示例を示す。
上述のように、カテゴリー区分は、ＧＡＴＴ及び／又はＡＮＣＳにおいて定められているカテゴリーＩＤ（CATEGORY ID）が利用される。ここでは、カテゴリーＩＤのうち、電話着信を示す”Incoming Call”（これに対応するビット値。以下同じ）、不在着信を示す”Missed Call”、留守番電話などのボイスメール着信を示す”Voice Mail”などをまとめて電話型のアイコンＩ４に対応付けることができる。また、ショートメッセージの着信を示す”SMS/MMS”及びインスタントメッセージなどの着信を示す”Instant Message”（ＧＡＴＴ）、又はこれらをまとめて示す”Social”（ＡＮＣＳ）（ここでは、ＳＮＳに係るメッセージ通信もいずれかに含まれる）がメッセージ通信に係るアイコンＩ１に対応付けられる。スケジュール設定に係る”Schedule”に対してはスケジュール表のアイコンＩ５が対応付けられる。電子メールの着信を示す”Email”がメール型のアイコンＩ３に対応付けられる。その他の”News”（上記フリマアプリ及びゲームアプリなどに係る通知なども含まれ得る）など、上記で表示対象として標識が設定されていないカテゴリーＩＤ（カテゴリー区分）については、いずれも「その他」を示すアイコンＩ２に対応付けられる。標識設定情報４２４（すなわち、メモリ４２）には、上記アイコンＩ１〜Ｉ５（標識）とカテゴリーＩＤ（カテゴリー区分）とが対応付けられて記憶されている。
【００３３】
このアイコンとカテゴリーＩＤとの対応関係は、設定変更が可能であってよい。例えば、”News”に対応するアイコンが独立に指定されてもよい。また、ＡＮＣＳのみで定められているカテゴリーＩＤ、例えば、”Location”などについてもユーザが指定可能としてもよい。また、Voice Mail及びＳＭＳのメッセージ着信については、電子メールに係るアイコンＩ３で示されてもよい。設定変更は、外部からの所定の設定命令、例えば、ユーザによる操作受付部５１への入力操作によって行われてもよいし、外部機器（スマートフォン）で設定されたデータが通信部５３を介して電子時計１に送信、取得されてもよい。
【００３４】
図４は、本実施形態の電子時計１における通知表示制御処理のＣＰＵ４１による制御手順を示すフローチャートである。
【００３５】
本実施形態の通知制御方法を含むこの通知表示制御処理は、新たな通知情報が取得された場合などに起動される。通知表示制御処理が開始されると、ＣＰＵ４１は、表示対象の新たな通知情報をメモリ４２から取得する（ステップＳ１０１）。ＣＰＵ４１は、通知情報内で指定されているカテゴリーＩＤが、”Incoming Call”、”Missed Call”、又は”Voice Mail”のいずれかであるか否かを判別する（ステップＳ１０２）。いずれかであると判別された場合には（ステップＳ１０２で“ＹＥＳ”）、ＣＰＵ４１は、当該通知情報に対して電話型のアイコンＩ４を設定する（ステップＳ１１２）。それから、ＣＰＵ４１の処理は、ステップＳ１１７に移行する。
【００３６】
ステップＳ１０２において、カテゴリーＩＤが上記３つのいずれでもないと判別された場合には（ステップＳ１０２で“ＮＯ”）、ＣＰＵ４１は、カテゴリーＩＤが”SMS”、”Instant Message”又は”Social”であるか否かを判別する（ステップＳ１０３）。いずれかであると判別された場合には（ステップＳ１０３で“ＹＥＳ”）、ＣＰＵ４１は、通知情報（メッセージ通信などの受信に係る情報）に対してショートメッセージに係るアイコンＩ１を設定する（ステップＳ１１３）。それから、ＣＰＵ４１の処理は、ステップＳ１１７に移行する。
【００３７】
ステップＳ１０３において、カテゴリーＩＤが上記３つのいずれでもないと判別された場合には（ステップＳ１０３で“ＮＯ”）、ＣＰＵ４１は、カテゴリーＩＤが”Email”であるか否かを判別する（ステップＳ１０４）。”Email”であると判別された場合には（ステップＳ１０４で“ＹＥＳ”）、ＣＰＵ４１は、通知情報に対してメール型のアイコンＩ３を設定する（ステップＳ１１４）。それから、ＣＰＵ４１の処理は、ステップＳ１１７に移行する。
【００３８】
カテゴリーＩＤが”Email”ではないと判別された場合には（ステップＳ１０４で“ＮＯ”）、ＣＰＵ４１は、カテゴリーＩＤが”Schedule”であるか否かを判別する（ステップＳ１０５）。”Schedule”であると判別された場合には（ステップＳ１０５で“ＹＥＳ”）、ＣＰＵ４１は、通知情報に対してスケジュール表のアイコンＩ５を設定する（ステップＳ１１５）。それから、ＣＰＵ４１の処理は、ステップＳ１１７に移行する。
【００３９】
カテゴリーＩＤが”Schedule”ではないと判別された場合には（ステップＳ１０５で“ＮＯ”）、ＣＰＵ４１は、その他用のアイコンＩ２を通知対象に対して設定する（ステップＳ１１６）。それから、ＣＰＵ４１の処理は、ステップＳ１１７に移行する。
【００４０】
ステップＳ１１２〜Ｓ１１６の処理からステップＳ１１７の処理に移行すると、ＣＰＵ４１は、カテゴリーＩＤに応じた抽出対象の第１部分及び第２部分を設定し、各々所定の文字数抽出する（ステップＳ１１７）。ＣＰＵ４１は、これまでにアイコン設定及び文字抽出がされている通知対象の情報と新たに得られた情報とを組み合わせて、一覧表示データを作成し、当該一覧表示データに基づく表示命令を表示部５２に対して出力する（ステップＳ１１８；通知ステップ）。そして、ＣＰＵ４１は、通知表示制御処理を終了する。
【００４１】
以上のように、本実施形態の電子時計１は、デジタル表示を行う表示部５２と、外部機器（スマートフォンなど）と通信を行う通信部５３と、ＣＰＵ４１と、を備える。ＣＰＵ４１は、通信部５３を介して外部機器から取得可能な複数種類の情報の表示部５２による表示において、当該複数種類の情報それぞれが属するカテゴリー区分に応じたアイコンをそれぞれ表示させる。
このように、個々のアプリなどのサービスに応じたアイコンを準備せずともカテゴリーに応じたアイコンを用いることで、新たなサービスなどに応じてそれぞれ対応するアイコンを取得する必要がない。また、規格が統一されていない内容からアプリ名などを正確に抽出して表示することができなくても、どのような情報に係る通知であるかを概ね理解することができるので、ユーザが使用しているアプリ、サービスに応じて、最低限必要な情報を容易にユーザが知得することができる。特に、一覧表示などでは、標識以外の表示量が非常に限られるので、適切なアイコン分類によって、標識以外の表示ではサービスの区分が難しい場合にもユーザが容易に内容を分類して示すことができる。
【００４２】
また、カテゴリー区分の情報は、通信部５３により取得された情報に各々含まれる。すなわち、アイコンの決定のために従来よりも通信量を増やしたり、新たな情報を取得するための通信制御を行ったりする必要がないので、処理の手間が増大しない。
【００４３】
また、カテゴリー区分には、ＳＮＳ、インスタントメッセージなどを含むメッセージ通信の受信に係る情報が含まれる。共通の規格により電話番号や電子メールアドレスが容易に取得され、相手が特定されるものと異なり、頻繁に新たなサービスが生まれ、データフォーマットも多様なＳＮＳなどでは、各々のサービスや送信元を特定することは必ずしも容易ではなく、また、各々サービスに応じたアイコンデータを取得して表示させるのも手間を要する。よって、上記のような処理による負荷の増大の抑制と確実かつ必要な情報の表示の両立という効果を特に得やすい。
【００４４】
また、アイコンには、表示対象として標識が設定されているカテゴリー区分以外のその他であることを示す標識が含まれ、ＣＰＵ４１は、表示対象とするアイコンが設定されていないカテゴリー区分の情報が取得された場合に、その他であることを示す標識を表示させる。すなわち、使用頻度が少ないものなどについては、その他として一括することができる。また、カテゴリーＩＤには、現在多くの予備ビットがあり、今後様々なカテゴリーが追加される可能性があるが、このように新たに追加されるカテゴリーに対しても、最低限対応するアイコンを表示させることができる。
【００４５】
また、カテゴリー区分とアイコンとを対応付けて標識設定情報４２４として各々記憶するメモリ４２を備え、ＣＰＵ４１は、外部から取得される所定の設定命令に基づいてアイコンの各々を表示対象とするか否かを定める。すなわち、通常使う頻度の低いカテゴリーなどについては、表示対象として設定せずにその他としてもよいし、複数のカテゴリーとアイコンとの対応関係をユーザの使用状況に応じて当該ユーザが見やすいように柔軟に調整することもできる。
【００４６】
また、ＣＰＵ４１は、一覧表示において、アイコンとともに情報の内容の一部を抽出して表示させ、内容を抽出する箇所は、カテゴリー区分ごとに各々定められている。一覧表示において必要とされやすい情報は、情報内容によって異なる場合があり、また、サービスに応じて通信データのフォーマットが異なる場合もあるので、各々適切な箇所を抽出するように定めることで、一覧表示において各表示内容がよりユーザにとって意味のあるものとなりやすくすることができる。
【００４７】
また、本実施形態の通知制御方法は、通信部５３を介して外部機器から取得可能な複数種類の情報の表示部５２による一覧表示において、当該複数種類の情報それぞれが属するカテゴリー区分に応じたアイコンをそれぞれ表示させる通知ステップ、を含む。
このように通知制御を行うことで、新たなサービスなどに応じてそれぞれ対応するアイコンを取得、設定する必要がない。また、規格が統一されていない内容からアプリ名などを正確に抽出して表示することができなくても、どのような情報に係る通知であるかを概ね理解することができるので、ユーザが使用しているアプリ、サービスに応じて、必要な情報を容易にユーザが知得することができる。
【００４８】
なお、本発明は、上記実施の形態に限られるものではなく、様々な変更が可能である。
例えば、上記実施の形態では、外部機器としてスマートフォンから通知情報が取得されるものとして説明したが、これに限られない。タブレット端末などといった他の外部機器から取得されてもよい。
【００４９】
また、上記実施の形態では、一覧表示の各項目の先頭にアイコンを表示させる場合について具体的に説明したが、一覧表示から選択された個別の詳細表示の先頭にも同様にアイコンを付してもよい。また、アイコンの位置は、先頭に限られない。例えば、最後尾であってもよいし、詳細表示の最上段右端などであってもよい。
【００５０】
また、上記実施の形態では、ＢＬＥ通信により、カテゴリーＩＤを含む通信に基づいてカテゴリーの識別を行って表示を行うこととしたが、他の通信規格による通信がなされてもよく、当該通信の内容に予めカテゴリーＩＤのようなものが含まれない場合には、独自にカテゴリーを設定して送信してもよい。この場合には、カテゴリーに対応する標識も設定に応じて適宜定められてもよい。
【００５１】
また、「その他」標識（アイコン）を必ず有している必要はなく、いずれかの標識に必ず対応付けられてもよい。あるいは、直接「その他」を示すのではなく、「お知らせ」アイコンのような汎用的な標識を定めて、これに「その他」に対応するものが全て対応付けられることとしてもよい。
【００５２】
また、アイコンとカテゴリーとの対応関係は、変更可能でなくてもよく、予め定められたものに固定されていてもよい。
【００５３】
また、標識としては、特徴的な形状の図形によるアイコンである必要はなく、ユーザが容易に判別可能なものであれば、文字、数字、記号若しくは模様又はこれらの組み合わせなどであってもよい。
【００５４】
また、アイコンとともに表示される内容は、上記のように第１部分及び第２部分の２箇所での抽出内容である必要はない。１箇所でもよいし、文字数などによっては３箇所以上であってもよい。また、例えば、スケジュール設定のみ設定内容に応じた１箇所など、カテゴリー区分ごとに数が異なっていてもよい。また、表示させる内容がない場合には表示がなくてもよいし、そもそもアイコン及び取得時刻以外の表示を行わないものであってもよい。また、抽出箇所の一部又は全部は、カテゴリー区分ごとに別個に定められていなくてもよい。
【００５５】
また、上記実施の形態では、アイコンがデジタル表示されるものとして説明したが、回転円盤上のアイコンが選択的に表示されるアナログ式の表示部を有するものであっても同様に、新たなアイコンを追加する必要なしに必要な情報を表示させることができる。
その他、上記実施の形態で示した構成、表示内容、処理内容や処理順序などの具体的な細部は、本発明の趣旨を逸脱しない範囲において適宜変更可能である。
【００５６】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００５７】
［付記］
＜請求項１＞
表示部と、
外部機器と通信を行う通信部と、
制御部と、
を備え、
前記制御部は、
前記通信部を介して前記外部機器から取得可能な複数種類の情報の前記表示部による表示において、当該複数種類の情報それぞれが属するカテゴリー区分に応じた標識をそれぞれ表示させる
ことを特徴とする電子時計。
＜請求項２＞
前記カテゴリー区分の情報は、前記通信部により取得された前記情報に各々含まれることを特徴とする請求項１記載の電子時計。
＜請求項３＞
前記カテゴリー区分には、メッセージ通信の受信に係る情報が含まれることを特徴とする請求項１又は２記載の電子時計。
＜請求項４＞
前記標識には、表示対象として標識が設定されているカテゴリー区分以外のその他であることを示す標識が含まれ、
前記制御部は、表示対象とする前記標識が設定されていないカテゴリー区分の前記情報が取得された場合に、前記その他であることを示す標識を表示させる
ことを特徴とする請求項１〜３のいずれか一項に記載の電子時計。
＜請求項５＞
前記カテゴリー区分と標識とを対応付けて各々記憶する記憶部を備え、
前記制御部は、外部から取得される所定の設定命令に基づいて前記標識の各々を前記表示対象とするか否かを定める
ことを特徴とする請求項４記載の電子時計。
＜請求項６＞
前記制御部は、前記複数種類の情報の一覧表示において、前記標識とともに前記情報の内容の一部を抽出して表示させ、
前記内容を抽出する箇所は、前記カテゴリー区分ごとに各々定められている
ことを特徴とする請求項１〜５のいずれか一項に記載の電子時計。
＜請求項７＞
表示部と、外部機器と通信を行う通信部とを備える電子時計の通知制御方法であって、
前記通信部を介して前記外部機器から取得可能な複数種類の情報の前記表示部による表示において、当該複数種類の情報それぞれが属するカテゴリー区分に応じた標識をそれぞれ表示させる通知ステップ、
を含むことを特徴とする通知制御方法。
【符号の説明】
【００５８】
１     電子時計
１１   筐体
１２   表示画面
４１   制御部
４２   メモリ
４２１ プログラム
４２２ 通信設定情報
４２３ 受信情報
４２４ 標識設定情報
４５   発振回路
４６   分周回路
４７   計時回路
５１   操作受付部
５２   表示部
５３   通信部
５４   報知動作部
６０   電力供給部
６１   バッテリ
Ｂ１〜Ｂ４    押しボタンスイッチ
Ｃ１   りゅうず
Ｉ１〜Ｉ５    アイコン
【図１】
2020169820.tif 000003
【図２】
2020169820.tif 000004
【図３】
2020169820.tif 000005
【図４】
2020169820.tif 000006